(57)【要約】      （修正有）【課題】使用上の便利さを維持すると共に、資源の消耗を減少することができるＬＥＤリングライト構造を提供する。【解決手段】ＬＥＤリングライト構造１は、環状の台座とＬＥＤライトストリップ１２とを有する。環状の台座は、複数の突出部及び複数の凹部が環設されている。複数の突出部及び複数の凹部は、放射状に交互に環状の台座に設けられる。ＬＥＤライトストリップ１２は、屈曲変形可能な短冊状であり、通電すると発光し、かつ均等に複数のＬＥＤ発光部１２１が設けられる。複数のＬＥＤ発光部１２１が各突出部に対応して設けられ、ＬＥＤライトストリップ１２の残り部分が均等に各凹部に挿入されることで、ＬＥＤ発光部１２１は、直線状配置から環状配置になり、かつ同じ所定の方向に向かう。【選択図】図１
0003234440.tif 000002
【実用新案登録請求の範囲】
【請求項１】
環状の台座とＬＥＤライトストリップとを有するＬＥＤリングライト構造であって、
前記環状の台座は、複数の突出部及び複数の凹部が環設され、
複数の前記突出部及び複数の前記凹部は、放射状に交互に前記環状の台座に設けられ、
前記ＬＥＤライトストリップは、屈曲変形可能な短冊状であり、通電すると発光し、かつ均等に複数のＬＥＤ発光部が設けられ、
前記複数の前記ＬＥＤ発光部が各前記突出部に対応して設けられ、前記ＬＥＤライトストリップの残り部分が均等に各前記凹部に挿入されることで、前記ＬＥＤ発光部は、直線状配置から環状配置になり、かつ同じ所定の方向に向かうことを特徴とする、
ＬＥＤリングライト構造。
【請求項２】
前記環状の台座は、矩形薄板であり、
前記矩形薄板は、複数の台形模様が設けられ、
各前記台形模様の上底及び下底は、それぞれ前記矩形薄板の２つの長辺に設けられ、
前記矩形薄板は、各前記台形模様に沿って複数の前記突出部及び複数の前記凹部に折られ、かつ前部と後部が接合されることにより環状に形成され、
前記環状の台座の内周縁線の全長と外周縁線の全長とが等しいことを特徴とする、
請求項１に記載のＬＥＤリングライト構造。
【請求項３】
環状の後蓋と環状の前蓋とをさらに有し、
前記環状の前蓋は、光を透過でき、
前記環状の台座を前記環状の後蓋に入れた後に、前記環状の前蓋を閉めることを特徴とする、
請求項１に記載のＬＥＤリングライト構造。
【請求項４】
前記環状の後蓋は、前記環状の台座であることを特徴とする、
請求項３に記載のＬＥＤリングライト構造。
【請求項５】
前記環状の後蓋の適切な箇所に設けられ、スタンドと接続するために用いられるスタンド接続部を有することを特徴とする、
請求項４に記載のＬＥＤリングライト構造。
【考案の詳細な説明】
【技術分野】
【０００１】
本考案は、ＬＥＤリングライト構造に関し、特に、ＬＥＤライトストリップの直線光源を環状光源に変換するＬＥＤリングライト構造に関する。
【背景技術】
【０００２】
従来のＬＥＤリングライトは、環状のＬＥＤランプ基板全体を使用しなければならないので、基本消耗が多く、資源の無駄になる。また、ＬＥＤリングライトのサイズが大きいほど廃品が多くなる。
【０００３】
なお、従来のＬＥＤリングライトは、１／２の環状又は１／４の環状を使用するＬＥＤランプ基板もあり、ＬＥＤランプ基板全体を使用することより節約できるが、依然として不必要な浪費を招く。また、このような設計は、配線処理の不良が原因で不良率が高くなり、使用者の不便となる可能性がある。
【考案の概要】
【考案が解決しようとする課題】
【０００４】
従来のＬＥＤリングライトの資源の無駄及び不良率の問題を解決するために、本考案のＬＥＤリングライト構造は、環状の台座の突出部及び凹部を利用することにより、ＬＥＤライトストリップの直線光源を環状光源に変換することができる。本考案によれば、使用上の便利さを維持すると共に、資源の消耗を減少することができる。
【課題を解決するための手段】
【０００５】
本考案のＬＥＤリングライト構造は、環状の台座とＬＥＤライトストリップとを有し、前記環状の台座環は、複数の突出部及び複数の凹部が環設され、複数の前記突出部及び複数の前記凹部は、放射状に交互に前記環状の台座に設けられ、前記ＬＥＤライトストリップは、屈曲変形可能な短冊状であり、通電すると発光し、かつ均等に複数のＬＥＤ発光部に設けられる。前記複数の前記ＬＥＤ発光部が各前記突出部に対応に設けられ、ＬＥＤライトストリップの残り部分が均等に各前記凹部に挿入されることで、前記ＬＥＤ発光部は、直線状配置から環状配置になり、かつ同じ所定の方向に向かう。
【０００６】
好ましくは、前記環状の台座は、矩形薄板であってもよく、前記矩形薄板は、複数の台形模様が設けられ、各前記台形模様の上底及び下底は、それぞれ前記矩形薄板の２つの長辺に設けられ、前記矩形薄板は、各前記台形模様に沿って複数の前記突出部及び複数の前記凹部に折られ、かつ前部と後部が接合されることにより環状に形成させ、前記環状の台座の内周縁線の全長と外周縁線の全長とが等しいである。
【０００７】
好ましくは、前記ＬＥＤライトストリップは、環状の後蓋と環状の前蓋とをさらに有し、前記環状の前蓋は、光を透過でき、前記環状の台座を前記環状の後蓋に入れた後に、前記環状の前蓋を閉める。
【０００８】
好ましくは、前記環状の後蓋は、前記環状の台座である。
【０００９】
好ましくは、前記ＬＥＤライトストリップは、前記環状の後蓋の適切な箇所に設けられ、スタンドと接続するために用いられるスタンド接続部をさらに有する。
【考案の効果】
【００１０】
本考案によれば、前記ＬＥＤライトストリップの直線光源を環状光源に変換し、かつ前記発光部を同じ方向に向かうことができる。このような設計によれば、資源の無駄を減少させ、光線を集中させる利点を有する。
【図面の簡単な説明】
【００１１】
【図１】本考案の実施例１を示す模式図である。
【図２Ａ】図２Ａは、本考案の実施例１を示す分解模式図である。
【図２Ｂ】図２Ｂは、本考案の実施例１の組み立て中の状態を示す模式図である。
【図２Ｃ】図２Ｃは、本考案の実施例１の組み立て後の状態を示す模式図である。
【図３Ａ】図３Ａは、本考案の実施例２の矩形薄板及びＬＥＤライトストリップを示す模式図である。
【図３Ｂ】図３Ｂは、本考案の実施例２の環状の台座を折り畳んだ状態を示す模式図である。
【図３Ｃ】図３Ｃは、本考案の実施例２のＬＥＤライトストリップ及び環状の台座を貼り付ける前の状態を示す模式図である。
【図３Ｄ】図３Ｄは、本考案の実施例２の組み立て中の状態を示す模式図である。
【図３Ｅ】図３Ｅは、本考案の実施例２の矩形薄板及びＬＥＤライトストリップを結合した状態を示す模式図である。
【図３Ｆ】図３Ｆは、本考案の実施例２の矩形薄板及びＬＥＤライトストリップを結合して折り畳んだ状態を示す模式図である。
【図４Ａ】図４Ａは、本考案の実施例３を示す分解模式図である。
【図４Ｂ】図４Ｂは、本考案の実施例３の環状の台座を環状の後蓋に入れた状態を示す模式図である。
【考案を実施するための形態】
【００１２】
以下、図１Ａ〜図４Ｂを開示しながら本考案の実施形態について説明するが、本考案は、それらに限定されるものではない。
【００１３】
図１〜図２Ｃを参照しながら説明する。図２Ａに示すように、本考案の実施例１のＬＥＤリングライト構造１は、環状の台座１１とＬＥＤライトストリップ１２とを有し、前記環状の台座１１は、複数の突出部１１１及び複数の凹部１１２が環設され、複数の前記突出部１１１及び複数の前記凹部１１２は、放射状に交互に前記環状の台座１１に設けられ、前記ＬＥＤライトストリップ１２は、屈曲変形可能な短冊状であり、通電すると発光し、かつ均等に複数のＬＥＤ発光部１２１に設けられる。図２Ｂに示すように、前記複数の前記ＬＥＤ発光部１２１が各前記突出部１１１に対応して設けられ、ＬＥＤライトストリップ１２の残り部分が均等に各前記凹部１１２に挿入されることで、前記ＬＥＤ発光部１２１は、直線状配置から環状配置になり、かつ同じ所定の方向１３に向かう。
【００１４】
本考案は、１つの直線配置の光源を環状配置の光源に変換することができる。各前記突出部１１１は、前記環状の台座１１中心に向かう方向に適切な角度を傾斜させることで、前記ＬＥＤリングライト構造１が光の集束効果を持たせる。また、前記ＬＥＤ発光部１２１は、独立して分離されたＬＥＤランプビーズであってもよく、完全に連結されるＣＯＢ（ｃｈｉｐ  ｏｎ  ｂｏａｒｄ）であってもよい。
【００１５】
図３Ａ〜図３Ｆを参照しながら本考案の実施例２を説明する。図３Ａに示すように、前記環状の台座１１は、矩形薄板１４であってもよく、前記矩形薄板１４は、複数の台形模様１４１が設けられ、各前記台形模様１４１の上底及び下底は、それぞれ前記矩形薄板１４の２つの長辺に設けられる。図３Ｂに示すように、前記矩形薄板１４は、各前記台形模様１４１に沿って複数の前記突出部１１１及び複数の前記凹部１１２に折られる。図３Ｃに示すように、前記矩形薄板１４は、前部と後部が接合されることにより環状に形成され、前記環状の台座１１の内周縁線の全長と外周縁線の全長とが等しいである。図３Ｄに示すように、前記ＬＥＤライトストリップ１２の複数の前記ＬＥＤ発光部１２１を複数の前記突出部１１１に設けることにより、前記ＬＥＤライトストリップ１２の光源を直線状から環状に変換することができる。
【００１６】
好ましくは、図３Ｅ及び図３Ｆを参照しながら本考案の実施例２を説明する。図３Ｅに示すように、前記ＬＥＤライトストリップ１２の長さと前記矩形薄板１４の長さとは等しく、かつ各前記ＬＥＤ発光部１２１及び各前記台形模様１４１は、互いに対応している。それにより、ＬＥＤライトストリップ１２は、前記矩形薄板１４と対応して結合することができ、さらに図３Ｆに示すように、各前記台形模様１４１に沿って複数の前記突出部１１１及び複数前記凹部１１２に折られる。本考案において、前記矩形薄板１４には、他の模様形状、例えば三角模様が設けられてもよい。それにより、形成された環状の台座の各前記凹部１１２は、中心へ傾斜する斜面となり、かつ、異なる形状及び距離を有する模様により、環形状、例えば各種な多角形状、楕円状等に形成されてもよい。
【００１７】
図４Ａ及び４Ｂを参照しながら本考案の実施例３を説明する。本実施例は、環状の後蓋１５と環状の前蓋１６とをさらに有する。前記環状の前蓋１６は、光を透過できる。前記環状の台座１１を前記環状の後蓋１５に入れた後に、前記環状の前蓋１６を閉める。本実施例の前記環状の後蓋１５は、複数の前記突出部１１１及び複数の前記凹部１１２に直接に設けられることにより、前記環状の台座１１となる。
【００１８】
図１に示すように、本考案の実施例１は、前記環状の後蓋１５の適切な箇所に設けられ、スタンド２と接続するために用いられるスタンド接続部１７をさらに有する。
【００１９】
上述したものは本考案の好ましい実施例に過ぎず、本考案の趣旨を逸脱しない範囲で当業者が上記の内容及び実用新案請求の範囲に基づいてなされた修正は、いずれも本発明に含まれる。
【符号の説明】
【００２０】
１  ＬＥＤリングライト構造
１１  環状の台座
１１１  突出部
１１２  凹部
１２  ＬＥＤライトストリップ
１２１  発光部
１３  所定の方向
１４  矩形薄板
１４１  台形模様
１５  環状の後蓋
１６  環状の前蓋
１７  スタンド接続部
２  スタンド
【図１】
0003234440.tif 000003
【図２Ａ】
0003234440.tif 000004
【図２Ｂ】
0003234440.tif 000005
【図２Ｃ】
0003234440.tif 000006
【図３Ａ】
0003234440.tif 000007
【図３Ｂ】
0003234440.tif 000008
【図３Ｃ】
0003234440.tif 000009
【図３Ｄ】
0003234440.tif 000010
【図３Ｅ】
0003234440.tif 000011
【図３Ｆ】
0003234440.tif 000012
【図４Ａ】
0003234440.tif 000013
【図４Ｂ】
0003234440.tif 000014
【手続補正書】
【提出日】令和3年8月18日(2021.8.18)
【手続補正１】
【補正対象書類名】実用新案登録請求の範囲
【補正対象項目名】全文
【補正方法】変更
【補正の内容】
【実用新案登録請求の範囲】
【請求項１】
環状の台座とＬＥＤライトストリップとを有するＬＥＤリングライト構造であって、
前記環状の台座は、複数の突出部及び複数の凹部が環設され、
複数の前記突出部及び複数の前記凹部は、放射状に交互に前記環状の台座に設けられ、
前記ＬＥＤライトストリップは、屈曲変形可能な短冊状であり、通電すると発光し、かつ均等に複数のＬＥＤ発光部が設けられ、
前記複数の前記ＬＥＤ発光部が各前記突出部に対応して設けられ、前記ＬＥＤライトストリップの残り部分が均等に各前記凹部に挿入されることで、前記ＬＥＤ発光部は、直線状配置から環状配置になり、かつ同じ所定の方向に向かうことを特徴とする、
ＬＥＤリングライト構造。
【請求項２】
前記環状の台座は、矩形薄板であり、
前記矩形薄板は、複数の台形模様が設けられ、
各前記台形模様の上底及び下底は、それぞれ前記矩形薄板の２つの長辺に設けられ、
前記矩形薄板は、各前記台形模様に沿って複数の前記突出部及び複数の前記凹部に折られ、かつ前部と後部が接合されることにより環状に形成され、
前記環状の台座の内周における複数の前記突出部及び複数の前記凹部の周縁線の全長と、前記環状の台座の外周における複数の前記突出部及び複数の前記凹部の周縁線の全長とが等しいことを特徴とする、
請求項１に記載のＬＥＤリングライト構造。
【請求項３】
環状の後蓋と環状の前蓋とをさらに有し、
前記環状の前蓋は、光を透過でき、
前記環状の台座を前記環状の後蓋に入れた後に、前記環状の前蓋を閉めることを特徴とする、
請求項１に記載のＬＥＤリングライト構造。
【請求項４】
前記環状の後蓋は、前記環状の台座であることを特徴とする、
請求項３に記載のＬＥＤリングライト構造。
【請求項５】
前記環状の後蓋の適切な箇所に設けられ、スタンドと接続するために用いられるスタンド接続部を有することを特徴とする、
請求項４に記載のＬＥＤリングライト構造。